(57)【要約】【課題】いわゆる略Ｖ字状の歯ブラシにおいて、最奥歯の背面も前歯の裏面側もブラッシングすることが可能で、しかも、柄に対する植毛基台の取り付け角度を変更可能にして、各歯に対して密接に毛束を接触させることが可能な歯ブラシを提供する。【解決手段】略Ｖ字状の歯ブラシ１における植毛基台Ｋに、間隔の広い空隙部Ｂ２が断面凹状を呈するように設けられているか、又は、その先端から柄の方向Ｘに毛先の長い毛束２ａ，２ｂ，２ｃの間に毛先の短い毛束４ａ，４ｂ，４ｃが断面凹状を呈するように設けられている。毛束２ａ，２ｂ，２ｃを所定間隔に植毛した毛束列を複数列設け、各毛束列は、隣の毛束列の毛束２ａ，２ｂ，２ｃと交叉状になるように植毛する。また、植毛基台Ｋと柄Ｅとが連結部材１２，１３により回転可能に取り付けられる。【選択図】　図１
2004057431.tif 000002
【特許請求の範囲】
【請求項１】
柄の先端に植毛基台を有し、この植毛基台の断面形状は、中央開口部が開いた略Ｖ字状を呈して、この断面略Ｖ字状の植毛基台を構成する中央壁部と左右側壁部に、ブラシ毛を束ねてなる毛束が植毛基台の先端から柄の方向に所定間隔にて植毛されている歯ブラシにおいて、
植毛基台に、上記所定間隔よりも間隔の広い空隙部が断面凹状を呈するように設けられているか、又は、その先端から柄の方向に毛先の長い毛束の間に毛先の短い毛束が断面凹状を呈するように設けられていることを特徴とする歯ブラシ。
【請求項２】
植毛基台に植毛されている毛束は、前記断面凹状の部分を介して各々の先端が徐々に幅狭になる部分を有して植毛されていることを特徴とする請求項１記載の歯ブラシ。
【請求項３】
柄の先端に植毛基台を有し、この植毛基台の断面形状は、中央開口部が開いた略Ｖ字状を呈して、この断面略Ｖ字状の植毛基台を構成する中央壁部と左右側壁部に、ブラシ毛を束ねてなる毛束が植毛基台の先端から柄の方向に所定間隔にて植毛されている歯ブラシにおいて、
植毛基台に、上記所定間隔よりも間隔の広い空隙部が毛束を有せず断面凹状を呈するように設けられているか、又は、その先端から柄の方向に毛先の長い毛束の間に毛先の短い毛束が断面凹状を呈するように設けられ、
植毛基台に植毛されている毛束は、前記断面凹状の部分を介して各々の先端が徐々に幅狭になる部分を有して植毛されていることを特徴とする歯ブラシ。
【請求項４】
前記植毛基台の植毛部分の裏面側もしくは柄の先端部において、これらの一方に連結部材が設けられ、他方に、この連結部材を回転可能に嵌合する回転嵌合手段が設けられるとともに所定角度回転した状態で停止させる回転停止部を有することを特徴とする請求項１乃至請求項３記載の歯ブラシ。
【請求項５】
前記植毛基台の植毛部分の裏面側もしくは柄の先端部において、これらの一方に係止用の突起が設けられ、他方にこの係止用の突起に嵌合して係止する係止溝が設けられ、これら係止用の突起と係止溝との嵌合により柄に対する植毛基台の取り付け位置が変更可能に構成されていることを特徴とする請求項１乃至請求項３記載の歯ブラシ。
【発明の詳細な説明】
【０００１】
【発明の属する技術分野】
この発明は、歯の左右面或いは前後面を歯の上面と同時にブラッシングする歯磨き用の歯ブラシに関する。
【０００２】
【従来の技術】
従来から歯をブラッシングする歯磨き用の歯ブラシとしては、種々のものが開発されているが、柄の先端に植毛用の植毛基台が形成され、この植毛基台に所定間隔にて毛束が植毛されたものが多く見受けられる。しかし、この通常の歯ブラシでは、歯の左右面或いは前後面を同時にブラッシングすることができないことから、図１０，図１１に示すように、歯の左右面或いは前後面も同時にブラッシングする略Ｖ字状の歯ブラシ３１が開発されている。
【０００３】
この略Ｖ字状の歯ブラシ３１は、柄Ｅの先端に歯を磨く毛束２ａ，３２ｂ，３２ｃが植毛される断面略Ｖ字状の植毛基台Ｋが取り付けられ、断面略Ｖ字状の中央壁部Ｋ１と左右側壁部Ｋ２，Ｋ３に各々所定間隔で毛束２ａ，３２ｂ，３２ｃが植毛されている。毛束２ａ，３２ｂ，３２ｃは、いずれも断面略Ｖ字状の中央壁部Ｋ１と左右側壁部Ｋ２，Ｋ３から垂直状態に植毛され、その毛束２ａ，３２ｂ，３２ｃの間隔も一律なもので、このため、上方中央の植毛基台の端から柄の方向に溝形状が形成される。したがって、この略Ｖ字状の歯ブラシ３１を使用して、例えば、図１２に示されるような上方の歯列Ｔｕをブラッシングするときは、上方の奥歯Ｔｕ１の下面Ｔｕ１ｂに断面略Ｖ字状の中央壁部Ｋ１の毛束２ａが接触するようにすると、上方の奥歯Ｔｕ１の左右面Ｔｕ１ａに断面略Ｖ字状の左右側壁部Ｋ２，Ｋ３の毛束２ｂ，３２ｃが接触することとなり、この状態で歯列Ｔｕに沿って歯ブラシ３１を動かすことにより、上方の歯列Ｔｕの下面も左右面も同時にブラッシングすることができる。同様に、前歯Ｔｕ２、及び下方の歯列Ｔｄに対しても歯の表面の３面を同時にブラッシングすることができる。
【０００４】
【発明が解決しようとする課題】
ところで、歯列Ｔｕ，Ｔｄは、図１２に示すように、上歯も下歯もほぼＵ字状であるが、最も奥に位置する奥歯Ｔｕ１，Ｔｄ１は、他の歯と異なり、背面側（口腔の食道側）Ｔｕ１ｃ，Ｔｄ１ｃも露出しているために、従来の略Ｖ字状の歯ブラシ３１では、奥歯Ｔｕ１，Ｔｄ１の背面側Ｔｕ１ｃ，Ｔｄ１ｃを同時にブラッシングすることが出来ない問題を有していた。また、前歯Ｔｕ２，Ｔｄ２をブラッシングするときは、図１４に示すように、歯ブラシ３１の柄Ｅを横方向にしてブラッシングするが（図１４中の矢印参照）、前歯Ｔｕ２，Ｔｄ２の裏面Ｔｕ２ｃ，Ｔｄ２ｃをブラッシングすることもできなかった。
【０００５】
また、上記略Ｖ字状の歯ブラシ３１の毛束３２ａ，３２ｂ，３２ｃは、植毛基台Ｋから一律に垂直状態で植毛されているために、歯の凹凸面に対して毛束先端が接触しない部分を生じさせる問題を有していた。また、歯と歯の間の隙間に有効に届かず、歯と歯の間に付着する歯垢を有効に除去できないことがあった。
【０００６】
さらに、図１２に示すように、歯列Ｔｕ，ＴｄのＵ字状のカーブ状態は、各人（男女の別、大人と子供等）で相違しているために、上記略Ｖ字状の歯ブラシ３１では、歯列のカーブ状態に有効に対処することが出来ない問題を有していた。このため、柄Ｅの握り方や柄Ｅの握り角度を変えて、先端の植毛部分を傾けてブラッシングするなどの工夫が必要になっていた。
【０００７】
そこで本発明の目的は、植毛基台がいわゆる略Ｖ字状の歯ブラシにおいて、最も奥に位置する奥歯の背面も前歯の裏面側もブラッシングすることが可能で、しかも、柄に対する植毛基台の取り付け角度を変更可能にして、各歯に対して密接に毛束を接触させることが可能な歯ブラシを提供することにある。
【０００８】
【課題を解決するための手段】
本発明の請求項１記載の歯ブラシは、柄の先端に植毛基台を有し、この植毛基台の断面形状は、中央開口部が開いた略Ｖ字状を呈して、この断面略Ｖ字状の植毛基台を構成する中央壁部と左右側壁部に、ブラシ毛を束ねてなる毛束が植毛基台の先端から柄の方向に所定間隔にて植毛されている歯ブラシにおいて、植毛基台に、上記所定間隔よりも間隔の広い空隙部が断面凹状を呈するように設けられているか、又は、その先端から柄の方向に毛先の長い毛束の間に毛先の短い毛束が断面凹状を呈するように設けられていることを特徴とする。
【０００９】
この発明によれば、従来の毛束の所定間隔よりも間隔の広い空隙部が断面凹状を呈するように設けられているか、又は、その先端から柄の方向に毛先の長い毛束の間に毛先の短い毛束が断面凹状を呈するように設けられていることから、この断面凹状を呈する部分を介して先端側の毛束が最奥歯の裏面側（口腔の食道側）を同時にブラッシングする。また、前歯を磨くときには、この断面凹状を呈する部分を介して先端側の毛束が後面を同時にブラッシングする。すなわち、上記断面凹状を呈する部分を介して前歯を跨ぐようにしてその前面のみならず後面をブラッシングすることができる。そして、これら奥歯と前歯を磨くときの柄の方向を同じにしてブラッシングすることができる。
【００１０】
本発明の請求項２記載の歯ブラシは、請求項１記載の発明を前提として、植毛基台に植毛されている毛束は、前記断面凹状の部分を介して各々の先端が徐々に幅狭になる部分を有して植毛されていることを特徴とする。先端が徐々に幅狭になる部分の毛束は、植毛基台から垂直状態に植毛される毛束と斜め状態に植毛される毛束とによりなるものでも、植毛基台から互いに逆方向の斜め状態に植毛される毛束とによりなるものでもよい。
【００１１】
この発明によれば、植毛基台に植毛されている毛束は、前記断面凹状の部分を介して各々の先端が徐々に幅狭になる部分を有して植毛されていることから、断面凹状の部分を介してこの位置に来る歯を挟みつけるようにしてブラッシングすることができる。また、上方側の歯列又は下方側の歯列をブラッシングするに際し、歯面の凹凸面や歯と歯の隙間に対して密接に接触する一方、ブラッシングするときの角度を変えても、歯面に対して交叉状の毛束のいずれかが接触して、ブラッシング効果を高めることができる。また、厚さや大きさが異なる歯に対してブラシ毛の先端が届かないような事態が防止される。すなわち、最も厚い奥歯に対しても、奥歯よりも厚さの薄いそれ以外の歯に対してもブラシ毛の先端が歯面に届くこととなり、いわゆる略Ｖ字状の歯ブラシにおいて同時に歯列全体をブラッシングすることが可能になる。
【００１２】
本発明の請求項３記載の歯ブラシは、柄の先端に植毛基台を有し、この植毛基台の断面形状は、中央開口部が開いた略Ｖ字状を呈して、この断面略Ｖ字状の植毛基台を構成する中央壁部と左右側壁部に、ブラシ毛を束ねてなる毛束が植毛基台の先端から柄の方向に所定間隔にて植毛されている歯ブラシにおいて、植毛基台に、上記所定間隔よりも間隔の広い空隙部が断面凹状を呈するように設けられているか、又は、その先端から柄の方向に毛先の長い毛束の間に毛先の短い毛束が断面凹状を呈するように設けられ、植毛基台に植毛されている毛束は、前記断面凹状の部分を介して各々の先端が徐々に幅狭になる部分を有して植毛されていることを特徴とする。
【００１３】
この発明によれば、植毛基台に、上記所定間隔よりも間隔の広い空隙部が断面凹状を呈するように設けられているか、又は、その先端から柄の方向に毛先の長い毛束の間に毛先の短い毛束が断面凹状を呈するように設けられていることから、最奥歯の裏面側（口腔の食道側）をブラッシングするときは、上記断面凹状を呈する部分より柄の先端側の毛束が奥歯の裏面側（口腔の食道側）に接触して磨くことができる。また、前歯を磨くときには、上記断面凹状を呈する部分を介して先端側の毛束が前歯の後面をブラッシングすることができる。すなわち、上記断面凹状を呈する部分を介して前歯を跨ぐようにしてその前面のみならず後面をブラッシングすることができる。そして、植毛基台に植毛されている毛束は、前記断面凹状の部分を介して各々の先端が徐々に幅狭になる部分を有して植毛されていることから、これら奥歯の裏面側や前歯の前後面に対してもその歯を挟み込むように密接に接触して高いブラッシング効果を得ることができる。
【００１４】
本発明の請求項４記載の歯ブラシは、請求項１乃至請求項３記載の発明を前提として、前記植毛基台の植毛部分の裏面側もしくは柄の先端部において、これらの一方に連結部材が設けられ、他方に、この連結部材を回転可能に嵌合する回転嵌合手段が設けられるとともに所定角度回転した状態で停止させる回転停止部を有することを特徴とする。
【００１５】
この発明によれば、前記植毛基台と柄とが連結部材により回転可能に取り付けられていることから、歯列に対するブラシ毛の接触角度を多角度的に設定することができる。すなわち、歯ブラシを持つ手を持ち替えたり無理に捻ったりすることなく歯にブラシ毛を当てることができる。また、Ｕ字状の歯列のいずれの箇所においても上記毛束が歯面と密接に接触することとなる。なお、所定角度回転した状態で停止させる回転停止部を有することから、ブラッシングの際に設定した角度がずれる事態を生じさせることがない。
【００１６】
本発明の請求項５記載の歯ブラシは、請求項１乃至請求項３記載の発明を前提として、前記植毛基台の植毛部分の裏面側もしくは柄の先端部において、これらの一方に係止用の突起が設けられ、他方にこの係止用の突起に嵌合して係止する係止溝が設けられ、これら係止用の突起と係止溝との嵌合により柄に対する植毛基台の取り付け位置が変更可能に構成されていることを特徴とする。
【００１７】
この発明によれば、係止用の突起と係止溝との嵌合により柄に対する植毛基台の取り付け位置が変更可能に係止するよう構成されていることから、歯列に対する植毛の接触角度を多角度的に設定することができる。すなわち、歯ブラシを持つ手を持ち替えたり無理に捻ったりすることなく歯にブラシ毛を当てることができる。
【００１８】
【発明の実施の形態】
以下、本発明の一実施の形態について図面を参照して詳細に述べる。
【００１９】
（第１の実施の形態）
本実施の形態は、図１に示すように、手で握る柄Ｅと、柄Ｅの先端に歯をブラッシングするブラシ毛が立設される植毛基台Ｋとが一体に構成されている歯ブラシ１である。植毛基台Ｋは、柄Ｅの先端に、翼を広げたように断面略Ｖ字状で、Ｖ字の開口部がやや開いた断面形状となっている。ブラシ毛は、何本か束ねて毛束２ａ，２ｂ，２ｃとして扱われ、断面略Ｖ字状の植毛基台Ｋには、主に歯の上下面を磨くための毛束２ａと主に歯の左右各面を磨くための毛束２ｂ，２ｃが所定間隔で植毛されている。柄Ｅと植毛基台Ｋは、合成樹脂製であり、毛束２ａ，２ｂ，２ｃの材質は、ナイロンやポリエステル製の毛で形成されている。
【００２０】
断面略Ｖ字状の植毛基台Ｋの中央壁部Ｋ１に中央の毛束２ａが植毛され、断面略Ｖ字状の左右壁部Ｋ２，Ｋ３にそれぞれ毛束２ｂ，２ｃが植毛されている。なお、中央の毛束２ａの長さは、左右の毛束２ｂ，２ｃの長さよりもやや短くなっている。そして、植毛基台Ｋの先端から柄の方向Ｘに毛先の長い毛束２ａ，２ｂ，２ｃの間に毛先の短い毛束４ａ，４ｂ，４ｃが断面凹状を呈するように設けられる。断面凹状を呈する部分の中央の窪みＢ１には、毛先の短い毛束４ａ，４ｂ，４ｃがあり、この毛先の短い毛束４ａ，４ｂ，４ｃは、中央の毛束２ａの長さよりも短くなっている。すなわち、各毛束２ａ，２ｂ，２ｃは、植毛基台Ｋの先端から柄Ｅの方向Ｘに沿って、所定間隔で垂直に植毛され、複数列の毛束列を成しているが、各毛束２ａ，２ｂ，２ｃの毛束列の同じ箇所に、断面凹状を呈する部分が形成されている。
【００２１】
次に、本実施の形態の歯ブラシ１による使用例を図１２の歯列に基づき説明する。まず、上方側の歯列Ｔｕをブラッシングするときは、従来の歯ブラシ３１と同様、上記断面略Ｖ字状の中央壁部Ｋ１の毛束２ａを歯の下面Ｔｕ１ｂに接触させると、同時に左右壁部Ｋ２，Ｋ３の毛束２ｂ，２ｃが歯の斜め下方から両脇Ｔｕ１ａに接触することとなる。この状態で歯ブラシ１を歯列Ｔｕに沿って動かしてブラッシングすると、歯の下面Ｔｕ１ｂと左右両面Ｔｕ１ａを同時にブラッシングすることができる。
【００２２】
また、図３（ａ）に示すように、植毛基台Ｋを最も奥の歯Ｔｕ１，Ｔｄ１に至るようにすると、断面凹状を呈する部分の中央の窪みＢ１よりも先端に植毛されている毛束２ｓが奥歯Ｔｕ１，Ｔｄ１の裏面側（口腔の食道側）Ｔｕ１ｃ，Ｔｄ１ｃをブラッシングする。すなわち、上記断面凹状を呈する部分の中央の窪みＢ１により、この窪みＢ１部分よりも前方の毛束２ａ，２ｂ，２ｃが奥歯Ｔｕ１，Ｔｄ１の裏面側Ｔｕ１ｃ，Ｔｄ１ｃに接触して磨くことができる。また、図３（ｂ）に示すように、前歯Ｔｕ２，Ｔｄ２の裏面Ｔｄ２ｃを意識的にブラッシングするときは、上記窪みＢ１を介して前方の毛束２ａ，２ｂ，２ｃが前歯Ｔｕ２，Ｔｄ２の裏面Ｔｄ２ｃに接触するようにすることによりブラッシング効果を高めることができる。そして、最も奥の歯Ｔｕ１，Ｔｄ１をブラッシングするときと前歯Ｔｕ２の前面のみならず後面Ｔｄ２ｃをブラッシングするときの口腔内への植毛基台Ｋと柄Ｅの差込方向はほぼ同じにして、ブラッシングすることができる（図１３中の矢印参照）。なお、従来の歯ブラシでは、前歯Ｔｕ２をブラッシングするときの方向は、図１４に示すように、横方向であった。また、断面凹状を呈する部分の中央の窪みＢ１には、毛先の短い毛束４ａ，４ｂ，４ｃがあるために、最も奥の歯Ｔｕ１，Ｔｄ１や前歯Ｔｕ２等の上面も同時にブラッシングすることができる。
【００２３】
（第１の実施の形態の応用例）
図１の例では、断面略Ｖ字状の中央壁部Ｋ１と左右壁部Ｋ２，Ｋ３にそれぞれ毛束２ａ，２ｂ，２ｃが垂直に植毛されているが、この応用例の歯ブラシ１１は、図２（ａ）（ｂ）に示すように、各毛束列は、垂直状の毛束列と傾斜状の毛束列とが交互に植毛され、側面（図２においてＹ方向）から見たときに交叉状となるように植毛されている。すなわち、各毛束列は、垂直状の毛束列と傾斜状の毛束列とが交互に植毛され、側面（図２においてＹ方向）から見たときに交叉状となるように植毛されている。断面凹状を呈する部分の中央の窪みＢ１の位置は植毛基台Ｋのほぼ中央でも、その他の位置でも良い。この結果、中央の窪みＢ１の位置を介して最も中央の窪みＢ１の位置に近い毛束２ａ１と毛束２ａ２（或いは毛束２ｂ１と毛束２ｂ２、毛束２ｃ１と毛束２ｃ２）とが中央の窪みＢ１の方に互いに向かい合う（図２（ａ）（ｂ））。換言すると、断面凹状の部分Ｂ１を介して各々の毛束２ａ１と毛束２ａ２の先端が徐々に幅狭になる。なお、この歯ブラシ１１による使用例は、後述する第２の実施の形態の場合と同じである。
【００２４】
ここで、上記図２において、交叉状に植毛される毛束列は、植毛基台Ｋから垂直状態に植毛される毛束列と傾斜状態に植毛される毛束列とを交互に植毛して交叉状とするものでも、植毛基台Ｋから互いに傾斜状に植毛される毛束列が交叉状になるものでも良く、後述するいわゆるクロス植毛でも良い。また、交叉する向きは、柄Ｅに対して垂直な面あるいは平行な面のいずれでも良い。また、上下面用の毛束２ａと左右面用の毛束２ｂ，２ｃは、長さや弾力が異なる毛束を有するものでも良い。これらにより、厚さが異なる歯列Ｔｕ，Ｔｄに対して毛束２ａ，２ｂ，２ｃの先端が届かないような事態をさらに効果的に防止することができる。すなわち、最も厚い奥歯Ｔｕ１，Ｔｄ１に対しても、奥歯Ｔｕ１，Ｔｄ１よりも厚さの薄いそれ以外の歯に対しても毛束２ａ，２ｂ，２ｃの先端が届くこととなる。
【００２５】
（第２の実施の形態）
本実施の形態は、図４（ａ）（ｂ）（ｃ）に示すように、各毛束２ａ，２ｂ，２ｃは、植毛基台Ｋの先端から柄Ｅの方向Ｘに沿って、所定間隔で植毛され、複数列の毛束列を成しているが、所定間隔よりも間隔が広い空隙部Ｂ２が設けられている歯ブラシ２１である。この空隙部Ｂ２は、第１の実施の形態の断面凹状を呈する部分の中央の窪みＢ１とは、毛束を有しない点が異なる。そして、図３の例では、各毛束２ａ，２ｂ，２ｃは、断面略Ｖ字状の中央壁部Ｋ１と左右側壁部Ｋ２，Ｋ３において各々垂直に植毛されているが、図４（ａ）（ｂ）に示すように、毛束ごとに一律な方向に揃えられ、かつ、隣の毛束列と異なる方向に揃えられているものでも良い。すなわち、図４の各毛束列は、垂直状の毛束列と傾斜上の毛束列とが交互に植毛され、側面（図１においてＹ方向）から見たときに交叉状となるように植毛されている。そして、植毛基台Ｋに上記所定間隔よりも間隔が広く、毛束ない空隙部Ｂ２が設けられている。図４では、植毛基台Ｋの先端の一部を延長させて空隙部Ｂ２を設け、この先端側の空隙部Ｂ２を介して毛束２ａ，２ｂ，２ｃが各々設けられているが、このような空隙部Ｂ２は、図５（ａ）（ｂ）に示すように、植毛基台Ｋのほぼ中央でも、その他の位置でも良い。この結果、空隙部Ｂ２を介して最も空隙部Ｂ２に近い毛束２ａ１と毛束２ａ２（或いは毛束２ｂ１と毛束２ｂ２、毛束２ｃ１と毛束２ｃ２）とが空隙部Ｂ２の方に互いに向かい合う（図４（ａ）（ｂ））。図５（ａ）（ｂ）においては、先端側の毛束２ｓは垂直方向に植毛されているが、先端側の毛束２ｓを空隙部Ｂ２を介して他の毛束２ａ，２ｂ，２ｃの方向に向ければ、先端側の毛束２ｓと空隙部Ｂ２に近い毛束２ａと毛束２ｂ等とが空隙部Ｂ２の方に互いに向かい合う。その他の構成は、第１の実施の形態と同様である。
【００２６】
次に、本実施の形態の歯ブラシ１による使用例を図１２の歯列に基づき説明する。以下では、図５（ａ）（ｂ）の例で説明する。まず、上方側の歯列Ｔｕをブラッシングするときは、従来の歯ブラシ３１と同様、上記断面略Ｖ字状の中央壁部Ｋ１の毛束２ａを歯の下面Ｔｕ１ｂに接触させると、同時に左右壁部Ｋ２，Ｋ３の毛束２ｂ，２ｃが歯の斜め下方から両脇Ｔｕ１ａに接触することとなる。この状態で歯ブラシ１を歯列Ｔｕに沿って動かしてブラッシングすると、歯の下面Ｔｕ１ｂと左右両面Ｔｕ１ａを同時にブラッシングすることができる。さらに、植毛基台Ｋの中央壁部Ｋ１及び左右壁部Ｋ２，Ｋ３には、交叉状となるように毛束列が植毛されているため、歯面に対して密接にブラシ毛を接触させる一方、ブラッシングするときの角度を変えても、歯面に対して交叉状となっている毛束２ａ，２ｂ，２ｃのいずれかを接触させることができる。また、歯面に対して様々な角度からブラシ毛が接触するため、歯ブラシ１の動作方向を細かく変えなくとも、歯面の凹凸や隙間に入り込んだ汚れを取り残すことが少なくなり、ブラッシング効果を高めることができる。
【００２７】
また、図６（ａ）に示すように、植毛基台Ｋを最も奥の歯Ｔｕ１，Ｔｄ１に至るようにすると、空隙部Ｂ２よりも先端に植毛されている毛束（２ａ１，２ｂ１）が奥歯Ｔｕ１，Ｔｄ１の裏面側（口腔の食道側）Ｔｕ１ｃ，Ｔｄ１ｃをブラッシングする。なお、図４（ａ）（ｂ）に示す例では、先端側の毛束２ｓが奥歯Ｔｕ１，Ｔｄ１の裏面側（口腔の食道側）Ｔｕ１ｃ，Ｔｄ１ｃをブラッシングする。ここで、この植毛基台Ｋの先端の一部を、図４（ｃ）に示すように先を細く形成することにより、奥歯Ｔｕ１，Ｔｄ１付近に入り込み易くしてもよい。また、図６（ｂ）に示すように、前歯Ｔｕ２，Ｔｄ２の裏面Ｔｄ２ｃを意識的にブラッシングするときは、上記空隙部Ｂ２を介して毛束２ａ１，２ｂ１が前歯Ｔｕ２，Ｔｄ２の裏面Ｔｄ２ｃに接触するようにすることによりブラッシング効果を高めることができる。すなわち、空隙部Ｂ２を介して空隙部Ｂ２に最も近い毛束２ａ１と毛束２ａ２（或いは毛束２ｂ１と毛束２ｂ２、毛束２ｃ１と毛束２ｃ２）とが空隙部Ｂ２の方に互いに向かい合うことから、毛束２ａ１と毛束２ａ２（或いは毛束２ｂ１と毛束２ｂ２、毛束２ｃ１と毛束２ｃ２）が前歯Ｔｄ２を挟むようにして、前歯Ｔｄ２の前面のみならず後面Ｔｄ２ｃをブラッシングする。
【００２８】
ここで、従来のこの種歯ブラシは、植毛基台の端から柄の方向Ｘに、上方中央の一本の直線状の溝形状が形成された植毛（ブラシ部分）であったが、本発明によれば、植毛基台Ｋの先端から柄の方向Ｘに断面凹状を呈する部分の中央の窪みＢ１や空隙部Ｂ２も形成されるので、十字状の溝Ｊ１，Ｊ２が形成されている（図１５（ａ）（ｂ））。すなわち、十字状の溝Ｊ１，Ｊ２の一方Ｊ２が断面凹状を呈する部分の中央の窪みＢ１であり、又、間隔が広い空隙部Ｂ２である。なお、符号Ｊ１が、従来の上方中央の一本の直線状の溝形状である。このような十字状の溝Ｊ１，Ｊ２は、上記第１と第２の実施の形態のように、隣の毛束列の毛束と交叉状になるように植毛されているに限らず、いわゆるクロス植毛されたブラシ部分の上方を十字状の溝Ｊ１，Ｊ２に切断して（カッティング）して形成しても良い。図１５（ａ）（ｂ）は、ブラシ部分の上方を十字状の溝Ｊ１，Ｊ２に切断したもので、この十字状の溝Ｊ１，Ｊ２の部分の植毛は、それ以外の部分よりも短い植毛になっている。このように、本発明は、第１に、上記断面凹状を呈する部分Ｂ１，Ｂ２を設けたことを特徴とし、第２に、上記断面凹状を呈する部分Ｂ１，Ｂ２を介して互いに植毛が交叉するように植毛することで（或いは、断面凹状の部分Ｂ１，Ｂ２を介して各々の先端が徐々に幅狭になる部分を有して植毛することで）、最奥歯Ｔｄ１や前歯Ｔｄ２の前後面を同時にブラッシングするものである。したがって、柄Ｅの方向を９０度の方向で持ち替えなくとも、十字状の溝Ｊ１，Ｊ２を利用して、歯の左右面や前後面を上述したブラッシングの仕方で磨くことができる。
【００２９】
また、図１６（ａ）（ｂ）（ｃ）及び図１７（ａ）（ｂ）に示すように、植毛基台Ｋの先端から柄の方向Ｘにも断面がＶ字形状を呈するものでも良い。すなわち、植毛基台Ｋの四隅部Ｋａ，Ｋｂ，Ｋｃ，Ｋｄは、十字状の溝Ｊ１，Ｊ２を介して各々対称に傾斜して形成され、この四隅部Ｋａ，Ｋｂ，Ｋｃ，Ｋｄから毛束が垂直に植毛されている。十字状の溝Ｊ１，Ｊ２の部分には、四隅部Ｋａ，Ｋｂ，Ｋｃ，Ｋｄの各毛束よりも短い毛束が植毛されているが、十字状の溝Ｊ１，Ｊ２の一方、或いは両方共に植毛がなくとも良い。この図１６（ａ）（ｂ）（ｃ）及び図１７（ａ）（ｂ）の例は、植毛基台Ｋから垂直に植毛させながらも十字状の溝Ｊ１，Ｊ２の部分を介して互いに毛束の先端が互いに傾斜して向かい合うように植毛基台Ｋが傾斜して形成されている。例えば、四隅部Ｋａ，Ｋｂ，Ｋｃ，Ｋｄのうちの先端側Ｋａ，Ｋｂは、一方の溝Ｊ１を介して各々の先端が徐々に幅狭になる傾斜状になり（図１６（ｃ））、また、先端側Ｋａと柄Ｅの側Ｋｃとは，他方の溝Ｊ２を介して各々の先端が徐々に幅狭になる傾斜状になる（図１６（ｂ））。同じように、例えば、四隅部Ｋａ，Ｋｂ，Ｋｃ，Ｋｄのうちの柄Ｅの側Ｋｃ，Ｋｄは、一方の溝Ｊ１を介して各々の先端が徐々に幅狭になる傾斜状（交叉状）になり（図１７（ｂ））、また、先端側Ｋｂと柄Ｅの側Ｋｄとは，他方の溝Ｊ２を介して各々の先端が徐々に幅狭になる傾斜状になる（図１７（ａ））。このような例の実際の製造としては、すべて垂直に植毛されている平坦な植毛基台Ｋから上記形状に植毛基台Ｋを折り曲げ加工することで容易に製造可能である。また、このような形に折り曲げ加工したものに植毛しても製造可能である。
【００３０】
（第３の実施の形態）
第１の実施の形態の応用例としては、図７に示すように、手で握る柄Ｅと、柄Ｅの先端に歯をブラッシングする毛束２ａ，２ｂ，２ｃが立設される断面略Ｖ字状の植毛基台Ｋとが別体に構成された歯ブラシ１１である。断面略Ｖ字状の植毛基台Ｋの形状や植毛の状態は、第１の実施の形態と同様である。
【００３１】
本実施の形態の特徴は、柄Ｅの先端部に対して植毛基台Ｋが回転可能に取り付けられている。すなわち、断面略Ｖ字状の植毛基台Ｋの裏面中央にＴ字状の連結部材１２が取り付けられ、他方、柄Ｅの先端部にＴ字状の連結部材１２を回転可能に嵌合する回転嵌合手段１３が設けられている（図７（ａ））。Ｔ字状の連結部材１２は、略直方体形状の係止部１２ａと円柱型の回転軸１２ｂとをＴ字形に組み合わせたものである。係止部１２ａの裏面側（すなわち、植毛基台Ｋ側）には、溝１２ｃが形成されている。回転嵌合手段１３は、柄Ｅの先端部を円柱状にくりぬいた嵌合溝１３ａと、この嵌合溝１３ａの中央に形成した嵌合穴１３ｂと、嵌合溝１３ａの底部１３ｃに設けた回転停止部１３ｄとで構成される。嵌合穴１３ｂは、嵌合溝１３ａの底部１３ｃの中央をＴ字状の連結部材１２が貫通するように形成されている。回転停止部１３ｄは、嵌合溝１３ａの底部１３ｃに所定間隔にて凸状に突出形成され、Ｔ字状の連結部材１２に設けられた溝１２ｃと嵌合する形状となっている。
【００３２】
ここで、Ｔ字状の連結部材１２を柄Ｅの側に設け、回転嵌合手段１３を植毛基台Ｋの側に設けることも可能である。また、図８に示すように、嵌合溝１３ａの内壁１３ｅに所定間隔をおいて回転停止部１３ｄが突出形成される一方、係止部１２ａの側面１２ｄに、上記回転停止部１３ｄの形状に対応する溝１２ｃが形成された回転嵌合機構とすることも可能である。
【００３３】
本実施の形態の歯ブラシ１１を実際に使用するときは、植毛基台ＫのＴ字状の連結部材１２を柄Ｅの回転嵌合手段１３に嵌合させて、所望の角度となるよう植毛基台Ｋを柄Ｅに取り付ける。すなわち、Ｔ字状の連結部材１２を嵌合穴１３ｂに貫通させ（図７（ａ），図８（ａ））、係止部１２ａの裏面側を嵌合溝１３ａの底部１３ｃに引っ掛けるように回転させ（図７（ｂ），図８（ｂ））、Ｔ字状の連結部材１２の溝１２ｃを所定角度位置の回転停止部１３ｄに嵌め込むと、その位置で固定される（図７（ｃ），（ｄ），図８（ｃ），（ｄ））。このように、回転可能に取り付けると、手首を捻ったり柄Ｅを持ち替えたりしなくとも植毛基台Ｋの向きのみを変えることができるため、Ｕ字状の歯列Ｔｕ，Ｔｄのいずれに箇所においても毛束２ａ，２ｂ，２ｃを歯面と密接に接触させ易くすることとなる。例えば、奥歯Ｔｕ１，Ｔｄ１付近をブラッシングする際と、前歯Ｔｕ２，Ｔｄ２付近をブラッシングする際とでは、柄Ｅを動かす方向が大きく異なるため、上記回転嵌合機構により、柄Ｅを動かす方向をほとんど変化させなくともブラッシングの方向を変化させることができ、Ｕ字状の歯列Ｔｕ，Ｔｄのいずれに箇所においても上記毛束２ａ，２ｂ，２ｃが歯面と密接に接触することとなる。
【００３４】
（第４の実施の形態）
本実施の形態は、図９に示すように、柄Ｅの先端部にＴ字状の連結部材２２が設けられ、他方、植毛基台Ｋの中央壁部Ｋ１の裏面（背面）に上記Ｔ字状の連結部材２２が嵌合可能な嵌合溝２３ａ，２３ｂが形成されている歯ブラシ２１である。嵌合溝２３ａ，２３ｂは、中央壁部Ｋ１の中央に縦横各々一本ずつ設けられている。
【００３５】
本実施の形態を使用するときには、植毛基台Ｋの嵌合溝２３ａ，２３ｂのいずれかに、柄ＥのＴ字状の連結部材２２をスライドさせるように嵌合させて使い易い位置で停止させる。図９（ｂ）は、長手方向の嵌合溝２３ａにＴ字状の連結部材２２を嵌合させた状態であり、図９（ｃ）は、嵌合溝２３ａと垂直に交叉する嵌合溝２３ｂにＴ字状の連結部材２２を嵌合させた状態である。したがって、毛束２ａ，２ｂ，２ｃの向きをＵ字状の歯列Ｔｕ，Ｔｄに対応させることができる。
【００３６】
ここで、本実施の形態では、嵌合溝２３ａ，２３ｂは、縦横各々一本ずつであるが、複数本ずつ設けても良い。特に奥歯Ｔｕ１，Ｔｄ１をブラッシングする際、柄Ｅを植毛基台Ｋの端部に設けられた溝２３ａ，２３ｂに取り付けることにより、柄Ｅを口の端に押し当てたり無理に大きく口を開けたりしなくとも、植毛基台Ｋが奥歯Ｔｕ１，Ｔｄ１に届く。また、嵌合溝２３ａ，２３ｂを縦横の他に斜めに設けても良い。このようにすると、植毛基台Ｋの角度調整を細かく行うことができる。
【００３７】
以上、各実施の形態では、手を動かして使用する歯ブラシについて説明したが、本発明は、電動歯ブラシ、つまり、柄に回転や振動を与える部材を取り付けたものにも適用可能である。
【００３８】
【発明の効果】
本発明の請求項１記載の歯ブラシによれば、植毛基台に所定間隔よりも間隔の広い空隙部が断面凹状を呈するように設けられているか、又は、その先端から柄の方向に毛先の長い毛束の間に毛先の短い毛束が断面凹状を呈するように設けられていることから、最奥歯の裏面側（口腔の食道側）をブラッシングするときは、上記断面凹状を呈する部分を介して先端側の毛束が奥歯の裏面側（口腔の食道側）に接触して磨くことができる。また、前歯を磨くときには、毛束をその前面のみならず後面を同時に接触させてブラッシングすることができる。
【００３９】
本発明の請求項２記載の歯ブラシによれば、植毛基台に植毛されている毛束は、前記断面凹状の部分を介して各々の先端が徐々に幅狭になる部分を有して植毛されていることから、断面凹状の部分を介してこの位置に来る歯を挟みつけるようにしてブラッシングすることができる。また、上方側の歯列又は下方側の歯列をブラッシングするに際し、歯面の凹凸面や歯と歯の隙間に対して密接に接触する一方、ブラッシングするときの角度を変えても、歯面に対して交叉状の毛束のいずれかが接触して、ブラッシング効果を高めることができる。
【００４０】
また、前記植毛基台と柄との一方に連結部材が設けられ、他方に、この連結部材を回転可能に嵌合する回転嵌合手段が設けられるか、又、前記植毛基台と柄との一方に連結部材が設けられ、他方にこの連結部材とスライドして嵌合する嵌合溝が設けられることにより、植毛基台の向きを変化させることが可能となり、毛束をＵ字状の歯列に対応させてブラッシングすることが可能になる。
【００４１】
【図面の簡単な説明】
【図１】本発明の第１の実施の形態の歯ブラシの植毛状態を示す図であり、（ａ）はその上面図であり、（ｂ）はその側面図、（ｃ）は他の例を示す図である。
【図２】本発明の第２の実施の形態の歯ブラシの植毛状態を示す図であり、（ａ）はその上面図であり、（ｂ）はその側面図、（ｃ）は他の例を示す図である。
【図３】上記第１の実施の形態の使用状態を示す図であり、（ａ）は最奥歯に使用した図であり、（ｂ）は前歯に使用した図である。
【図４】本発明の第３の実施の形態の歯ブラシの植毛状態を示す図であり、（ａ）はその上面図であり、（ｂ）はその側面図、（ｃ）は他の例を示す図である。
【図５】上記第３の実施の形態の他の例を示す図であり、（ａ）はその上面図であり、（ｂ）はその側面図である。
【図６】上記第３の実施の形態の使用状態を示す図である。
【図７】上記第３の実施の形態の使用状態を示す図であり、（ａ）は最奥歯に使用した図であり、（ｂ）は前歯に使用した図である。
【図８】本発明の第２の実施の形態の歯ブラシにおける回転機構を示す斜視図である。
【図９】上記第２の実施の形態の他の例を示す斜視図である。
【図１０】本発明の第３の実施の形態の歯ブラシにおける回転機構を示す斜視図である。
【図１１】従来の歯ブラシの斜視図である。
【図１２】歯列を示す図である。
【図１３】本発明の歯ブラシの口腔への差し込み方向を説明する図である。
【図１４】従来の歯ブラシの口腔への差し込み方向を説明する図である。
【図１５】本発明の歯ブラシの平面図と側面図である。
【図１６】本発明の他の例の歯ブラシの平面図と正面図と側面図である。
【図１７】上記他の例の歯ブラシの断面図である。
【符号の説明】
１，１１，２１　　断面略Ｖ字状の歯ブラシ、
３１　　　　　　　従来の歯ブラシ、
２ａ，２ｂ，２ｃ　毛束、
３２ａ，３２ｂ，３２ｃ　従来の歯ブラシの毛束
２ｓ　　　　　　　先端の毛束、
１２，２２　　　　連結部材、
１２ａ　　　　　　係止部、
１２ｂ　　　　　　回転軸、
１２ｃ　　　　　　溝、
１３　　　　　　　回転嵌合手段、
１３ａ，２３ａ，２３ｂ　嵌合溝、
１３ｂ　　　　　　嵌合穴、
１３ｃ　　　　　　底部、
１３ｄ　　　　　　回転停止部、
１３ｅ　　　　　　内壁、
１４　　　　　　　嵌合穴、
１５　　　　　　　回転停止部、
２３Ａ，２３Ｂ　　嵌合溝、
Ｂ　　　　　　　　空隙部、
Ｅ　　　　　　　　柄、
Ｊ１，Ｊ２　　　　十字状の溝、
Ｋ　　　　　　　　植毛基台、
Ｋ１　　　　　　　中央壁部、
Ｋ２，Ｋ３　　　　左右壁部、
Ｔｕ　　　　　　　上の歯列、
Ｔｄ　　　　　　　下の歯列、
Ｔｕ１　　　　　　上の奥歯、
Ｔｄ１　　　　　　下の奥歯、
Ｔｕ１ａ　　　　　上の奥歯の両脇、
Ｔｄ１ａ　　　　　下の奥歯の両脇、
Ｔｕ１ｂ　　　　　上の奥歯の下面、
Ｔｄ１ｂ　　　　　下の奥歯の上面、
Ｔｕ１ｃ　　　　　上の奥歯の裏面、
Ｔｄ１ｃ　　　　　下の奥歯の裏面、
Ｔｄ２　　　　　　前歯、
Ｔｄ２ｃ　　　　　前歯の後面、
Ｘ　　　　　　　　柄の方向、
Ｙ　　　　　　　　側面から見る方向
【図１】
2004057431.tif 000003
【図２】
2004057431.tif 000004
【図３】
2004057431.tif 000005
【図４】
2004057431.tif 000006
【図５】
2004057431.tif 000007
【図６】
2004057431.tif 000008
【図７】
2004057431.tif 000009
【図８】
2004057431.tif 000010
【図９】
2004057431.tif 000011
【図１０】
2004057431.tif 000012
【図１１】
2004057431.tif 000013
【図１２】
2004057431.tif 000014
【図１３】
2004057431.tif 000015
【図１４】
2004057431.tif 000016
【図１５】
2004057431.tif 000017
【図１６】
2004057431.tif 000018
【図１７】
2004057431.tif 000019